(57)【要約】【課題】  デジタルビデオカメラの再生画に対し、スケール表示の方法を提供する。【解決手段】  撮影時に合焦情報・ズーム情報・フォーカス情報・距離情報を画像と対応付けて記録し、再生時、それら関連情報を元に、合焦時・内部規定以下のズーム状態であった場合、再生画に利用者の意図した長さの単位を用い、ズームに連動した可変式のスケールを表示可能とする。【選択図】        図１
2005176188.tif 000002
【特許請求の範囲】
【請求項１】
レンズを介して撮像素子に結像される被写体像の合焦情報・ズーム情報・フォーカス情報・距離情報を得て、スケールに関するデータを演算し、その演算結果に基づいたスケールを被写体像と共に表示再生可能なデジタルビデオカメラであって、前記被写体像の合焦情報・ズーム情報・フォーカス情報・距離情報を被写体の映像に対応付けて記録する記録媒体と、再生時、スケール表示を行うモードを選択された時に、再生される被写体の映像に対応づけて記録された前記被写体像の合焦情報・ズーム情報・フォーカス情報・距離情報から、寸法に関するデータを演算し、再生画像上にスケールを表示可能で、合焦中のみ前記被写体像と共に前記スケールを再生画像中に表示することを特徴とするデジタルビデオカメラ。
【請求項２】
レンズを介して撮像素子に結像される被写体像の合焦情報・ズーム情報・フォーカス情報・距離情報を得て、スケールに関するデータを演算し、その演算結果に基づいたスケールを被写体像と共に表示再生可能なデジタルビデオカメラであって、前記被写体像の合焦情報・ズーム情報・フォーカス情報・距離情報を被写体の映像に対応付けて記録する記録媒体と、再生時、スケール表示を行うモードを選択された時に、再生される被写体の映像に対応づけて記録された前記被写体像の合焦情報・ズーム情報・フォーカス情報・距離情報から、寸法に関するデータを演算し、再生映像上にスケールを表示可能で、スケール表示を行うモードであっても、内部的に決められた一定値以上にワイドな再生画であった場合に、再生画像中のスケール表示をキャンセルすることを特徴とするデジタルビデオカメラ。
【請求項３】
レンズを介して撮像素子に結像される被写体像の合焦情報・ズーム情報・フォーカス情報・距離情報を得て、スケールに関するデータを演算し、その演算結果に基づいたスケールを被写体像と共に表示再生可能なデジタルビデオカメラであって、前記被写体像の合焦情報・ズーム情報・フォーカス情報・距離情報を被写体の映像に対応付けて記録する記録媒体と、再生時、スケール表示を行うモードを選択された時に、再生される被写体の映像に対応づけて記録された前記被写体像の合焦情報・ズーム情報・フォーカス情報・距離情報から、寸法に関するデータを演算し、再生画像上にスケールを表示可能であり、前記スケールの表示に用いる長さの単位が選択可能で、撮影画像を再生する際、前記スケールを選択された長さの単位を用いて表示することを特徴とするデジタルビデオカメラ。
【請求項４】
レンズを介して撮像素子に結像される被写体像の合焦情報・ズーム情報・フォーカス情報・距離情報を得て、スケールに関するデータを演算し、その演算結果に基づいたスケールを被写体像と共に表示再生可能なデジタルビデオカメラであって、前記被写体像の合焦情報・ズーム情報・フォーカス情報・距離情報を被写体の映像に対応付けて記録する記録媒体と、再生時、スケール表示を行うモードを選択された時に、再生される被写体の映像に対応づけて記録された前記被写体像の合焦情報・ズーム情報・フォーカス情報・距離情報から、寸法に関するデータを演算し、再生画像上にスケールを表示可能で、再生画像上に表示する際、再生画にズームの変化があれば、これに合わせて、前記スケールの分割が変化することを特徴とするデジタルビデオカメラ。
【請求項５】
請求項１記載のデジタルビデオカメラで、スケール表示を行うモードであっても、内部的に決められた一定値以上にワイドな再生画であった場合に、再生画像中のスケール表示をキャンセルすることを特徴とするデジタルビデオカメラ。
【請求項６】
請求項１記載のデジタルビデオカメラで、スケールの表示に用いる長さの単位が選択可能で、撮影画像を再生する際、前記スケールを選択された長さの単位を用いて表示することを特徴とするデジタルビデオカメラ。
【請求項７】
請求項１記載のデジタルビデオカメラで、再生画像上にスケールを表示する際、再生画にズームの変化があれば、これに合わせて、前記スケールの分割が変化することを特徴とするデジタルビデオカメラ。
【請求項８】
請求項２記載のデジタルビデオカメラで、スケールの表示に用いる長さの単位が選択可能で、撮影画像を再生する際、前記スケールを選択された長さの単位を用いて表示することを特徴とするデジタルビデオカメラ。
【請求項９】
請求項２記載のデジタルビデオカメラで、再生画像上にスケールを表示する際、再生画にズームの変化があれば、これに合わせて、前記スケールの分割が変化することを特徴とするデジタルビデオカメラ。
【請求項１０】
請求項３記載のデジタルビデオカメラで、再生画像上にスケールを表示する際、再生画にズームの変化があれば、これに合わせて、前記スケールの分割が変化することを特徴とするデジタルビデオカメラ。
【請求項１１】
請求項５記載のデジタルビデオカメラで、スケールの表示に用いる長さの単位が選択可能で、撮影画像を再生する際、前記スケールを選択された長さの単位を用いて表示することを特徴とするデジタルビデオカメラ。
【請求項１２】
請求項５記載のデジタルビデオカメラで、再生画像上にスケールを表示する際、再生画にズームの変化があれば、これに合わせて、前記スケールの分割が変化することを特徴とするデジタルビデオカメラ。
【請求項１３】
請求項６記載のデジタルビデオカメラで、再生画像上にスケールを表示する際、再生画にズームの変化があれば、これに合わせて、前記スケールの分割が変化することを特徴とするデジタルビデオカメラ。
【請求項１４】
請求項１１記載のデジタルビデオカメラで、再生画像上にスケールを表示する際、再生画にズームの変化があれば、これに合わせて、前記スケールの分割が変化することを特徴とするデジタルビデオカメラ。
【発明の詳細な説明】
【技術分野】
【０００１】
本発明は撮影した被写体の合焦時のズーム情報・フォーカス情報・距離情報からスケール表示に関するデータを演算し、演算したデータによりスケールパターンを発生させて被写体と同時にスケールを表示できるデジタルビデオカメラに関する。
【背景技術】
【０００２】
従来、撮影画像に対応した距離情報・ズーム情報・距離情報等を記録しておき、再生時にその関連情報から再生時にスケールを表示するものに関しては、下記特許文献１に記載されている。
【特許文献１】特願平３−１３９６１３号公報
【発明の開示】
【発明が解決しようとする課題】
【０００３】
しかし、合焦していない時、撮影モードがワイドモードで行われており、表示されるスケールが表示映像上のどの物体に対して有効であるかを利用者が誤認しやすい状況で、スケール表示をキャンセルして、利用者がスケール値を読み誤まりにくくする手法については記載されていない。
【０００４】
また、スケールを表示する場合、表示するスケールの長さの単位を選択すること、ズームの変化に応じて、スケールの分割を調整することについても記載されていない。
【０００５】
本発明の目的は、非合焦時や、撮影モードが内部的に一定水準を越えてワイドモードであり、利用者がスケール値を誤使用するような状況において、表示をキャンセルすることでスケール値の誤利用を防ぎ、スケール利用可能な場合には、利用者に使い勝手の良い単位と分割でスケールを提供することのできるデジタルビデオカメラの提供を目的としている。
【課題を解決するための手段】
【０００６】
前記目的を達成する為に、本発明によるデジタルビデオカメラでは、レンズ系を介して撮像素子に結像される被写体象の合焦情報・ズーム情報・フォーカス情報・距離情報を得て、寸法に関するデータを演算し、その演算データに基づいたスケールを被写体と共に表示できるデジタルビデオカメラであって、前記被写体像の合焦情報・ズーム情報・フォーカス情報・距離情報を被写体の映像に対応付けて記録する記録媒体と、再生時に、再生される被写体の映像に対応付けられた合焦情報・ズーム情報・フォーカス情報・距離情報を読み出し、映像が合焦している、ズームが内部的に決めた水準値以下である条件をいずれか一方、あるいは両方を満たした場合に、任意あるいは選択された長さの単位と、任意あるいは、ズーム情報に基づいた前記寸法データに基づいた分割によるスケールを表示する制御手段を備えたデジタルビデオカメラとして構成されている。
【０００７】
上記の構成を、改めて以下（１）〜（１４）に整理して示す。
【０００８】
（１）レンズを介して撮像素子に結像される被写体像の合焦情報・ズーム情報・フォーカス情報・距離情報を得て、スケールに関するデータを演算し、その演算結果に基づいたスケールを被写体像と共に表示再生可能なデジタルビデオカメラであって、前記被写体像の合焦情報・ズーム情報・フォーカス情報・距離情報を被写体の映像に対応付けて記録する記録媒体と、再生時、スケール表示を行うモードを選択された時に、再生される被写体の映像に対応づけて記録された前記被写体像の合焦情報・ズーム情報・フォーカス情報・距離情報から、寸法に関するデータを演算し、再生画像上にスケールを表示可能で、合焦中のみ前記被写体像と共に前記スケールを再生画像中に表示することを特徴とするデジタルビデオカメラ。
【０００９】
（２）レンズを介して撮像素子に結像される被写体像の合焦情報・ズーム情報・フォーカス情報・距離情報を得て、スケールに関するデータを演算し、その演算結果に基づいたスケールを被写体像と共に表示再生可能なデジタルビデオカメラであって、前記被写体像の合焦情報・ズーム情報・フォーカス情報・距離情報を被写体の映像に対応付けて記録する記録媒体と、再生時、スケール表示を行うモードを選択された時に、再生される被写体の映像に対応づけて記録された前記被写体像の合焦情報・ズーム情報・フォーカス情報・距離情報から、寸法に関するデータを演算し、再生映像上にスケールを表示可能で、スケール表示を行うモードであっても、内部的に決められた一定値以上にワイドな再生画であった場合に、再生画像中のスケール表示をキャンセルすることを特徴とするデジタルビデオカメラ。
【００１０】
（３）レンズを介して撮像素子に結像される被写体像の合焦情報・ズーム情報・フォーカス情報・距離情報を得て、スケールに関するデータを演算し、その演算結果に基づいたスケールを被写体像と共に表示再生可能なデジタルビデオカメラであって、前記被写体像の合焦情報・ズーム情報・フォーカス情報・距離情報を被写体の映像に対応付けて記録する記録媒体と、再生時、スケール表示を行うモードを選択された時に、再生される被写体の映像に対応づけて記録された前記被写体像の合焦情報・ズーム情報・フォーカス情報・距離情報から、寸法に関するデータを演算し、再生画像上にスケールを表示可能であり、前記スケールの表示に用いる長さの単位が選択可能で、撮影画像を再生する際、前記スケールを選択された長さの単位を用いて表示することを特徴とするデジタルビデオカメラ。
【００１１】
（４）レンズを介して撮像素子に結像される被写体像の合焦情報・ズーム情報・フォーカス情報・距離情報を得て、スケールに関するデータを演算し、その演算結果に基づいたスケールを被写体像と共に表示再生可能なデジタルビデオカメラであって、前記被写体像の合焦情報・ズーム情報・フォーカス情報・距離情報を被写体の映像に対応付けて記録する記録媒体と、再生時、スケール表示を行うモードを選択された時に、再生される被写体の映像に対応づけて記録された前記被写体像の合焦情報・ズーム情報・フォーカス情報・距離情報から、寸法に関するデータを演算し、再生画像上にスケールを表示可能で、再生画像上に表示する際、再生画にズームの変化があれば、これに合わせて、前記スケールの分割が変化することを特徴とするデジタルビデオカメラ。
【００１２】
（５）上記（１）において、スケール表示を行うモードであっても、内部的に決められた一定値以上にワイドな再生画であった場合に、再生画像中のスケール表示をキャンセルすることを特徴とするデジタルビデオカメラ。
【００１３】
（６）上記（１）において、スケールの表示に用いる長さの単位が選択可能で、撮影画像を再生する際、前記スケールを選択された長さの単位を用いて表示することを特徴とするデジタルビデオカメラ。
【００１４】
（７）上記（１）において、再生画像上にスケールを表示する際、再生画にズームの変化があれば、これに合わせて、前記スケールの分割が変化することを特徴とするデジタルビデオカメラ。
【００１５】
（８）上記（２）において、スケールの表示に用いる長さの単位が選択可能で、撮影画像を再生する際、前記スケールを選択された長さの単位を用いて表示することを特徴とするデジタルビデオカメラ。
【００１６】
（９）上記（２）において、再生画像上にスケールを表示する際、再生画にズームの変化があれば、これに合わせて、前記スケールの分割が変化することを特徴とするデジタルビデオカメラ。
【００１７】
（１０）上記（３）において、再生画像上にスケールを表示する際、再生画にズームの変化があれば、これに合わせて、前記スケールの分割が変化することを特徴とするデジタルビデオカメラ。
【００１８】
（１１）上記（５）において、スケールの表示に用いる長さの単位が選択可能で、撮影画像を再生する際、前記スケールを選択された長さの単位を用いて表示することを特徴とするデジタルビデオカメラ。
【００１９】
（１２）上記（５）において、再生画像上にスケールを表示する際、再生画にズームの変化があれば、これに合わせて、前記スケールの分割が変化することを特徴とするデジタルビデオカメラ。
【００２０】
（１３）上記（６）において、再生画像上にスケールを表示する際、再生画にズームの変化があれば、これに合わせて、前記スケールの分割が変化することを特徴とするデジタルビデオカメラ。
【００２１】
（１４）上記（１１）において、再生画像上にスケールを表示する際、再生画にズームの変化があれば、これに合わせて、前記スケールの分割が変化することを特徴とするデジタルビデオカメラ。
【００２２】
上記構成によれば、被写体の平面的な寸法を、利用者が意図した長さの単位に基づき、再生画像のスケールのズーム変化に合わせた可変な分割線をいれた状態で、合焦中或いは再生画像からスケールの利用を誤らないテレのサイズの状態でのみ表示することができる。
【発明の効果】
【００２３】
合焦していない時、撮影モードがワイドモードで行われており、表示されるスケールが表示映像上のどの物体に対して有効であるかを利用者が誤認しやすい状況で、スケール表示をキャンセルすることで、利用者が再生画像のスケール値を読み誤りにくくすることが可能となる。
【００２４】
また、スケールを表示する場合、表示するスケールの長さの単位を選択すること、ズームの変化に応じて、スケールの分割を調整することで利用者に使い勝手の良い単位と分割でスケールを提供することが可能となる。
【発明を実施するための最良の形態】
【００２５】
以下に、本発明を実施するための最良の形態を、実施例に基づいて説明する。
【実施例】
【００２６】
以下、図面等を参照して本発明を更に詳しく説明する。図１は本発明によるデジタルビデオカメラの実施例を示す回路ブロック図である。本図は本発明に直接関連する部分のみを示してある。
【００２７】
撮像手段はレンズ系１およびＣＣＤ撮像素子４を含んで構成される。レンズ系１はマスタレンズ・焦度調整用レンズ・変倍レンズ等により構成されている。レンズ制御部２はレンズ系１の焦度調節用レンズ・変倍レンズ等を駆動する駆動部ならびにこれを制御する制御部、オートフォーカスを制御する制御部を含んで構成されている。ビデオ内部回路５はデジタルビデオカメラの内部的な信号処理に必要な信号処理部を含んで構成されている。ＣＰＵ３は、変倍レンズから得られるズーム情報を元に、スケール表示モードであってもスケールを表示するか否かを決定する判断水準の数値を内部メモリに持つ構成とされている。
【００２８】
ＣＰＵ３が図示しないＣＣＤドライバを起動し、ＣＣＤ撮像素子４を駆動すると、被写体像は撮像手段を通じてビデオ内部回路５へ取り込まれ、所定の信号処理され液晶ディスプレイ８へ映し出される。ビデオ内部回路５は上記動作とともに、輝度信号の一部をレンズ制御部２へ送出する。レンズ制御部２は輝度信号より高周波信号を抽出し、抽出した高周波信号に基づき演算等を行い、それにより得た合焦信号をにより焦点調整用レンズを合焦位置にもたらす。合焦動作過程及び合焦時には合焦中であるか否かを示す合焦情報とレンズ位置を示す情報（フォーカス情報）がＣＰＵ３へ送られる。ズーム操作されるとレンズ制御部２は変倍レンズを駆動して被写体を希望のサイズへ拡大または縮小を行う。この変倍レンズの位置情報もレンズ制御部２からズーム情報としてＣＰＵ３へと送られる。ＣＰＵ３は受けとったズーム情報・フォーカス情報から、デジタルビデオカメラと被写体の距離を演算し、距離情報を得る。
【００２９】
ＣＰＵ３は図示しない記録開始ボタンが押されると、ＣＣＤ撮像素子４にそれまで蓄積された電荷を吐き出させて転送を開始し、撮影者が記録を終了するまで転送を続ける。ＣＣＤ撮像素子４から被写体の電気信号はビデオ内部回路５に送出される。ビデオ内部回路５は上述したようにレンズ制御部２に対し輝度信号の一部を送出する。そして、ビデオ内部回路５は所定のデジタル信号処理をランダムアクセスメモリ６を用いて行う。記録開始ボタンが押されると、ＣＰＵ３はレンズ制御部２から送られてきた合焦情報・ズーム情報・フォーカス情報を基に距離情報を演算、算出する。ＣＰＵ３は算出した距離情報および合焦情報・ズーム情報・フォーカス情報をビデオ内部回路５がランダムアクセスメモリ６上で信号処理を行った記録用の撮影情報に対応付けて付加する。ビデオ内部回路５は、ＣＰＵ３から合焦情報・フォーカス情報・ズーム情報・距離情報が撮影映像の各フレームに対応付けて付加された記録用情報を記録媒体７へ書き込む。
【００３０】
次に再生側について説明する。図示しない再生ボタンが押されると、記録媒体７から読み出された記録情報は、ビデオ内部回路５を経て元の撮影映像に復調される。このとき、キー回路９からスケール表示のモードが選択されていた場合、ＣＰＵ３はビデオ回路５がランダムアクセスメモリ６を用いて復調した撮影映像に対応して付加されている、合焦情報・フォーカス情報・ズーム情報・距離情報を読み出す。合焦情報・フォーカス情報・ズーム情報・距離情報は、撮影画像のフレーム毎に付加されており、ＣＰＵ３は、各フレームについて、合焦情報から、当該フレームが合焦中のものであるか否かの判定と、ズーム情報から、当該フレームのズーム状態を取得する。ＣＰＵ３は内部的なメモリに、スケール表示を許す水準を示す数値を持っており、ズーム情報から得たズームが、この水準を越えてワイドであった場合、または、合焦情報から合焦中でないと得られた場合、キー回路９からスケール表示のモードが選択されていても、これを内部的にキャンセルとする。前記のキャンセルが行われず、スケール表示モードである場合、ＣＰＵ３は合焦情報・フォーカス情報・ズーム情報・距離情報に基づき寸法に関する演算をする。この演算に、キー回路９からの長さ表示用の単位、（例えばメートルやインチ等）と目安になる値（１．２．３…等）と、その値における目盛線とを、再生画の縦・横の一端あるいは両端に表示される。表示用スケールをビデオ内部回路５で生成し、再生画の各フレームに同様に発生させる。スケールが付加された各フレームは、ディスプレイ８または、外部出力端子１０に接続された外部の表示装置に表示され、これを連続的に繰り返すことで、スケール付の動画再生を実現する。
【００３１】
表示されるスケールは、各フレーム用にその都度作り直して再生画に加えるため、再生画がズームの変化をともなった映像である場合、これに合わせた可変的なスケールとして出力される。ただし、再生画のズームが内部的に決めた一定水準を越えてｗｉｄｅへと変化した場合は、上述のようにスケール表示を直ちにキャンセルし、再生画のみの再生となる。しかし、スケール表示が上述のように内部的にキャンセルされた状態からでも、再生画が次第にＴｅｌｅへと変化した場合、一定の水準以下のズーム状態に戻ったフレームから即座にスケール表示が再開される。図２はこれを再生画としてみた場合のイメージ図である。
【図面の簡単な説明】
【００３２】
【図１】本発明によるスケール表示可能なデジタルビデオカメラの構成実施例を示す図
【図２】ズーム変化時の、スケール可変イメージを示すず
【符号の説明】
【００３３】
１  レンズ系
２  レンズ制御部
３  ＣＰＵ（制御手段）
４  ＣＣＤ撮像素子
５  ビデオ内部回路
６  ランダムアクセスメモリ
７  記録媒体
８  ディスプレイ
９  キー回路
１０  外部出力端子
【図１】
2005176188.tif 000003
【図２】
2005176188.tif 000004